(57)【要約】【課題】ディスプレイを占有することなく株式銘柄に関する情報を簡明に提示すること。【解決手段】株式市場の取引時間中には、銘柄情報取得部２０によって外部のサーバから所定の銘柄に関する情報を取得するとともに、キャラクターデータ１０に設定された種類１１、外見１２、性格１３を有するキャラクターをディスプレイに表示し、対応する銘柄の状況をその動作や表情などによって通知する。また、取引時間外には、分析処理部３０が分析した内容を、キャラクターの発言を模して提示する。【選択図】        図１
2006301955.tif 000002
【特許請求の範囲】
【請求項１】
株式銘柄に関する情報を取得する銘柄情報取得手段と、
ディスプレイ上に所定の図案を表示する表示制御手段と、
前記図案に特有の動作および／または態様と、前記株式銘柄の状況とを関連付ける図案設定手段と、
を備え、
前記表示制御手段は、前記銘柄情報取得手段が取得した情報と、前記図案設定手段による設定とに基づいて前記図案の動作および／または態様を変化させることを特徴とする株式情報提供装置。
【請求項２】
前記図案設定手段は、株価の変動、前日からの変動率、当日の取引開始時間からの変動率、１０分前からの変動率のうち、少なくともいずれか一つと前記図案の動作および／または態様を対応付けることを特徴とする請求項１に記載の株式情報提供装置。
【請求項３】
前記図案は動物を模した図案であり、前記図案に特有の動作および／または態様は、当該動物の感情表現に対応する動作および／または態様であることを特徴とする請求項１または２に記載の株式情報提供装置。
【請求項４】
前記図案設定手段は、前記動物の種類、色、服装のうち少なくともいずれかについてユーザによる選択を受け付けることを特徴とする請求項３に記載の株式情報提供装置。
【請求項５】
前記表示制御手段は、前記図案からの発言を模して文字および／または音声による情報提供を行なうことを特徴とする請求項１〜４のいずれか一つに記載の株式情報提供装置。
【請求項６】
前記図案設定手段は、単一の図案に単一の株式銘柄を割り当てることを特徴とする請求項１〜５のいずれか一つに記載の株式情報提供装置。
【請求項７】
前記表示制御手段は、それぞれ単一の株式銘柄に割り当てられた複数の図案を表示することを特徴とする請求項６に記載の株式情報提供装置。
【請求項８】
前記図案設定手段は、単一の図案に複数の株式銘柄の組み合わせを割り当てることを特徴とする請求項１〜７のいずれか一つに記載の株式情報提供装置。
【請求項９】
前記図案設定手段は、単一の銘柄を割り当てた複数の図案と、当該複数の図案に割り当てられた株式銘柄群の統合管理を行なう図案とを同時に表示する場合に、前記単一の銘柄を割り当てた複数の図案の種類と前記統合管理を行なう図案の内容との種類との間に関連性を持たせることを特徴とする請求項８に記載の株式情報提供装置。
【請求項１０】
前記図案設定手段は、前記図案に割り当てる銘柄の指定、売却、他銘柄への変更に関するユーザ指示を受け付けることを特徴とする請求項１〜９のいずれか一つに記載の株式情報提供装置。
【請求項１１】
前記図案設定手段は、前記図案の仮想的な性格を示す性格情報をさらに用いて前記動作および／または態様を決定することを特徴とする請求項１〜１０のいずれか一つに記載の株式情報提供装置。
【請求項１２】
前記銘柄情報取得手段が取得した情報を用いて仮想的な売買を行なう仮想売買処理手段をさらに備えたことを特徴とする請求項１〜１１のいずれか一つに記載の株式情報提供装置。
【請求項１３】
前記図案からの発言を模して現実の取引および／または前記仮想取引のユーザに対する依頼を出力することを特徴とする請求項１〜１２のいずれか一つに記載の株式情報提供装置。
【請求項１４】
現実の取引および／または前記仮想取引の自動実行を行なうことを特徴とする請求項１〜１３のいずれか一つに記載の株式情報提供装置。
【請求項１５】
前記図案設定手段は、前記現実の取引および／または前記仮想取引の実績に対応して前記図案の態様を変更することを特徴とする請求項１〜１４のいずれか一つに記載の株式情報提供装置。
【請求項１６】
前記銘柄情報取得手段が取得した情報を用いて、前記図案に割り当てられた銘柄の分析を行なう分析手段をさらに備え、前記表示制御手段は、前記分析手段による分析結果を前記図案からの発言に模して出力することを特徴とする請求項１〜１５のいずれか一つに記載の株式情報提供装置。
【請求項１７】
前記分析手段は、テクニカル分析、業績分析、割安度分析、成長性分析、財務健全性分析のうち、少なくともいずれか一つを実行することを特徴とする請求項１６に記載の株式情報提供装置。
【請求項１８】
前記分析手段および／または前記表示制御手段は、株式市場の取引時間外に前記分析の実行および／または分析結果の出力を行なうことを特徴とする請求項１６または１７に記載の株式情報提供装置。
【請求項１９】
株式銘柄に関する情報を取得する銘柄情報取得工程と、
ディスプレイ上に所定の図案を表示する表示制御工程と、
前記図案に特有の動作および／または態様と、前記株式銘柄の状況とを関連付ける図案設定工程と、
を含み、
前記表示制御工程は、前記銘柄情報取得工程において取得した情報と、前記図案設定工程による設定とに基づいて前記図案の動作および／または態様を変化させることを特徴とする株式情報提供方法。
【請求項２０】
前記図案設定工程は、株価の変動、前日からの変動率、当日の取引開始時間からの変動率、１０分前からの変動率のうち、少なくともいずれか一つと前記図案の動作および／または態様を対応付けることを特徴とする請求項１９に記載の株式情報提供方法。
【請求項２１】
前記図案は動物を模した図案であり、前記図案に特有の動作および／または態様は、当該動物の感情表現に対応する動作および／または態様であることを特徴とする請求項１９または２０に記載の株式情報提供方法。
【請求項２２】
前記図案設定工程は、単一の図案に単一の株式銘柄を割り当てることを特徴とする請求項１９，２０または２１に記載の株式情報提供方法。
【請求項２３】
前記銘柄情報取得工程において取得した情報を用いて、前記図案に割り当てられた銘柄の分析を行なう分析工程をさらに含み、前記表示制御工程は、前記分析工程による分析結果を前記図案からの発言に模して出力することを特徴とする請求項１９〜２２のいずれか一つに記載の株式情報提供方法。
【請求項２４】
前記分析工程および／または前記表示制御工程は、株式市場の取引時間外に前記分析の実行および／または分析結果の出力を行なうことを特徴とする請求項２３に記載の株式情報提供方法。
【請求項２５】
株式銘柄に関する情報を取得する銘柄情報取得手順と、
ディスプレイ上に所定の図案を表示する表示制御手順と、
前記図案に特有の動作および／または態様と、前記株式銘柄の状況とを関連付ける図案設定手順と、
をコンピュータに実行させる株式情報提供プログラムであって、
前記表示制御手順は、前記銘柄情報取得手順において取得した情報と、前記図案設定手順による設定とに基づいて前記図案の動作および／または態様を変化させることを特徴とする株式情報提供プログラム。
【請求項２６】
前記図案設定手順は、株価の変動、前日からの変動率、当日の取引開始時間からの変動率、１０分前からの変動率のうち、少なくともいずれか一つと前記図案の動作および／または態様を対応付けることを特徴とする請求項２５に記載の株式情報提供プログラム。
【請求項２７】
前記図案は動物を模した図案であり、前記図案に特有の動作および／または態様は、当該動物の感情表現に対応する動作および／または態様であることを特徴とする請求項２５または２６に記載の株式情報提供プログラム。
【請求項２８】
前記図案設定手順は、単一の図案に単一の株式銘柄を割り当てることを特徴とする請求項２５，２６または２７に記載の株式情報提供プログラム。
【請求項２９】
前記銘柄情報取得手順において取得した情報を用いて、前記図案に割り当てられた銘柄の分析を行なう分析手順をさらに含み、前記表示制御手順は、前記分析手順による分析結果を前記図案からの発言に模して出力することを特徴とする請求項２５〜２８のいずれか一つに記載の株式情報提供プログラム。
【請求項３０】
前記分析手順および／または前記表示制御手順は、株式市場の取引時間外に前記分析の実行および／または分析結果の出力を行なうことを特徴とする請求項２９に記載の株式情報提供プログラム。
【発明の詳細な説明】
【技術分野】
【０００１】
本発明は、株式銘柄に関する情報をユーザに提供する株式情報提供装置、株式情報提供方法および株式情報提供プログラムに関し、特に株式銘柄に関する情報を簡明に提示する株式情報提供装置、株式情報提供方法および株式情報提供プログラムに関する。
【背景技術】
【０００２】
従来、株式銘柄の値動きを各種チャートによって表現することが行なわれてきた。特に近年では、通信技術の向上と普及に伴い、各銘柄の値動きをリアルタイムで確認することが可能となっている。それに伴い、各種チャートを自動生成するシステムも提供されてきた（例えば特許文献１参照。）。
【０００３】
【特許文献１】特開２００５−０３１８３８号公報
【発明の開示】
【発明が解決しようとする課題】
【０００４】
ところで、通信技術の向上と普及に付随し、個人投資家による株式市場への参加が増加している。かかる個人投資家にとっては、例えば他の目的でコンピュータを使用しつつ、時折株価を確認して売買する、などのように、株式銘柄に関する情報を短時間で、効率よく、もしくは他の作業と並行しつつ取得することが重要となる。
【０００５】
しかしながら、従来のチャートや株式情報提供システムは、膨大な情報から、ある程度詳細に情報を抽出することを目的として工夫されてきたものであり、例えばディスプレイに表示する場合にはその表示面積の略全てを使用することが前提とされている。
【０００６】
このようなある程度詳細な情報の提供は、機関投資家など、少なくともある時間を株取引に専念することのできる者にとっては有用であるが、他の作業と並行しつつ取引を行なうような利用者にとっては元の作業を阻害するという問題が発生する。そのため、適切なタイミングで株価の確認ができず、売買の機会を逸する場合があるという問題点があった。
【０００７】
また、従来のチャートなどは、独特の専門的な表現方法を使用しているが、個人投資家などはその独特の表現から内容を直観的に把握することが困難であるという問題点があった。
【０００８】
そこで、使用するディスプレイの表示面積を抑制し、他の作業を阻害することなく常に株式情報を把握可能とするとともに、株式情報の内容を簡明かつ直観的に伝達する株式情報提供装置、株式情報提供方法および株式情報提供プログラムの実現が重要な課題となっていた。
【０００９】
この発明は、上述した従来技術による問題点を解消し、課題を解決するためになされたものであって、ディスプレイを占有することなく株式銘柄に関する情報を簡明に提示する株式情報提供装置、株式情報提供方法および株式情報提供プログラムを提供することを目的とする。
【課題を解決するための手段】
【００１０】
上述した課題を解決し、目的を達成するため、請求項１の発明に係る株式情報提供装置は、株式銘柄に関する情報を取得する銘柄情報取得手段と、ディスプレイ上に所定の図案を表示する表示制御手段と、前記図案に特有の動作および／または態様と、前記株式銘柄の状況とを関連付ける図案設定手段と、を備え、前記表示制御手段は、前記銘柄情報取得手段が取得した情報と、前記図案設定手段による設定とに基づいて前記図案の動作および／または態様を変化させることを特徴とする。
【００１１】
この請求項１の発明によれば株式情報提供装置は、株式銘柄に関する情報を取得するとともにディスプレイ上に所定の図案を表示し、株式銘柄の状況と図案に特有の動作や態様とを関連付けて変化させる。
【００１２】
また、請求項２の発明に係る株式情報提供装置は、請求項１の発明において、前記図案設定手段は、株価の変動、前日からの変動率、当日の取引開始時間からの変動率、１０分前からの変動率のうち、少なくともいずれか一つと前記図案の動作および／または態様を対応付けることを特徴とする。
【００１３】
この請求項２の発明によれば株式情報提供装置は、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させる。
【００１４】
また、請求項３の発明に係る株式情報提供装置は、請求項１または２の発明において、前記図案は動物を模した図案であり、前記図案に特有の動作および／または態様は、当該動物の感情表現に対応する動作および／または態様であることを特徴とする。
【００１５】
この請求項３の発明によれば株式情報提供装置は、株式銘柄に関する情報を取得するとともにディスプレイ上に動物を模した図案を表示し、株式銘柄の状況に対応付けて動物の感情表現を行なう。
【００１６】
また、請求項４の発明に係る株式情報提供装置は、請求項３の発明において、前記図案設定手段は、前記動物の種類、色、服装のうち少なくともいずれかについてユーザによる選択を受け付けること特徴とする。
【００１７】
この請求項４の発明によれば株式情報提供装置は、株式銘柄に関する情報を取得するとともにディスプレイ上にユーザから指定された種類、色、服装の動物を模した図案を表示し、株式銘柄の状況に対応付けて動物の感情表現を行なう。
【００１８】
また、請求項５の発明に係る株式情報提供装置は、請求項１〜４のいずれか一つの発明において、前記表示制御手段は、前記図案からの発言を模して文字および／または音声による情報提供を行なうことを特徴とする。
【００１９】
この請求項５の発明によれば株式情報提供装置は、株式銘柄に関する情報を取得するとともにディスプレイ上に所定の図案を表示し、図案からの発言を模して文字や音声で情報提供する。
【００２０】
また、請求項６の発明に係る株式情報提供装置は、請求項１〜５のいずれか一つの発明において、前記図案設定手段は、単一の図案に単一の株式銘柄を割り当てることを特徴とする。
【００２１】
この請求項６の発明によれば株式情報提供装置は、株式銘柄に関する情報を取得するとともにディスプレイ上に所定の図案を表示し、単一の株式銘柄の状況を単一の図案の動作や態様によって示す。
【００２２】
また、請求項７の発明に係る株式情報提供装置は、請求項６の発明において、前記表示制御手段は、それぞれ単一の株式銘柄に割り当てられた複数の図案を表示することを特徴とする。
【００２３】
この請求項７の発明によれば株式情報提供装置は、株式銘柄に関する情報を取得するとともに、単一の株式銘柄の状況を示す図案を複数表示することで複数の銘柄の状況を通知する。
【００２４】
また、請求項８の発明に係る株式情報提供装置は、請求項１〜７のいずれか一つの発明において、前記図案設定手段は、単一の図案に複数の株式銘柄の組み合わせを割り当てることを特徴とする。
【００２５】
この請求項８の発明によれば株式情報提供装置は、株式銘柄に関する情報を取得するとともにディスプレイ上に所定の図案を表示し、複数の株式銘柄によってなるポートフォリオの状況を単一の図案の動作や態様によって示す。
【００２６】
また、請求項９の発明に係る株式情報提供装置は、請求項８の発明において、前記図案設定手段は、単一の銘柄を割り当てた複数の図案と、当該複数の図案に割り当てられた株式銘柄群の統合管理を行なう図案とを同時に表示する場合に、前記単一の銘柄を割り当てた複数の図案の種類と前記統合管理を行なう図案の内容との種類との間に関連性を持たせることを特徴とする。
【００２７】
この請求項９の発明によれば株式情報提供装置は、株式銘柄に関する情報を取得するとともにディスプレイ上に所定の図案を表示し、単一の銘柄の状況を示す図案とポートフォリオの状況を示す図案との間に関連性を持たせる。
【００２８】
また、請求項１０の発明に係る株式情報提供装置は、請求項１〜９のいずれか一つの発明において、前記図案設定手段は、前記図案に割り当てる銘柄の指定、売却、他銘柄への変更に関するユーザ指示を受け付けることを特徴とする。
【００２９】
この請求項１０の発明によれば株式情報提供装置は、株式銘柄の状況を図案動作や態様によって示すとともに、図案に割り当てる銘柄の指定、売却、他銘柄への変更に関するユーザ指示を受け付ける。
【００３０】
また、請求項１１の発明に係る株式情報提供装置は、請求項１〜１０のいずれか一つの発明において、前記図案設定手段は、前記図案の仮想的な性格を示す性格情報をさらに用いて前記動作および／または態様を決定することを特徴とする。
【００３１】
この請求項１１の発明によれば株式情報提供装置は、株式銘柄の状況を図案動作や態様によって示すとともに、図案の仮想的な性格を示す性格情報をさらに用いて前記動作および／または態様を決定する。
【００３２】
また、請求項１２の発明に係る株式情報提供装置は、請求項１〜１１のいずれか一つの発明において、前記銘柄情報取得手段が取得した情報を用いて仮想的な売買を行なう仮想売買処理手段をさらに備えたことを特徴とする。
【００３３】
この請求項１２の発明によれば株式情報提供装置は、株式銘柄の状況を図案動作や態様によって示すとともに、取得した情報を用いて仮想的な売買を行なう。
【００３４】
また、請求項１３の発明に係る株式情報提供装置は、請求項１〜１２のいずれか一つの発明において、前記図案からの発言を模して現実の取引および／または前記仮想取引のユーザに対する依頼を出力することを特徴とする。
【００３５】
この請求項１３の発明によれば株式情報提供装置は、株式銘柄の状況を図案動作や態様によって示すとともに、図案からの発言を模して現実の取引および／または前記仮想取引のユーザに対する依頼を出力する。
【００３６】
また、請求項１４の発明に係る株式情報提供装置は、請求項１〜１３のいずれか一つの発明において、現実の取引および／または前記仮想取引の自動実行を行なうことを特徴とする。
【００３７】
この請求項１４の発明によれば株式情報提供装置は、株式銘柄の状況を図案動作や態様によって示すとともに、現実の取引および／または仮想取引の自動実行を行なう。
【００３８】
また、請求項１５の発明に係る株式情報提供装置は、請求項１〜１４のいずれか一つの発明において、前記図案設定手段は、前記現実の取引および／または前記仮想取引の実績に対応して前記図案の態様を変更することを特徴とする。
【００３９】
この請求項１５の発明によれば株式情報提供装置は、株式銘柄の状況を図案動作や態様によって示すとともに、現実の取引および／または仮想取引の自動実行を行ない、その実績に応じて図案の態様を変化させる。
【００４０】
また、請求項１６の発明に係る株式情報提供装置は、請求項１〜１５のいずれか一つの発明において、前記銘柄情報取得手段が取得した情報を用いて、前記図案に割り当てられた銘柄の分析を行なう分析手段をさらに備え、前記表示制御手段は、前記分析手段による分析結果を前記図案からの発言に模して出力することを特徴とする。
【００４１】
この請求項１６の発明によれば株式情報提供装置は、株式銘柄の状況を図案動作や態様によって示すとともに、取得した情報を用いて図案に割り当てられた銘柄の分析を行ない、分析結果を図案からの発言に模して出力する。
【００４２】
また、請求項１７の発明に係る株式情報提供装置は、請求項１６の発明において、前記分析手段は、テクニカル分析、業績分析、割安度分析、成長性分析、財務健全性分析のうち、少なくともいずれか一つを実行することを特徴とする。
【００４３】
この請求項１７の発明によれば株式情報提供装置は、株式銘柄の状況を図案動作や態様によって示すとともに、取得した情報を用いてテクニカル分析、業績分析、割安度分析、成長性分析、財務健全性分析などを行ない、分析結果を図案からの発言に模して出力する。
【００４４】
また、請求項１８の発明に係る株式情報提供装置は、請求項１６または１７の発明において、前記分析手段および／または前記表示制御手段は、株式市場の取引時間外に前記分析の実行および／または分析結果の出力を行なうことを特徴とする。
【００４５】
この請求項１８の発明によれば株式情報提供装置は、株式銘柄の状況を図案動作や態様によって示すとともに、取得した情報を用いて株式市場の取引時間外に銘柄の分析を行ない、分析結果を図案からの発言に模して出力する。
【００４６】
また、請求項１９の発明に係る株式情報提供方法は、株式銘柄に関する情報を取得する銘柄情報取得工程と、ディスプレイ上に所定の図案を表示する表示制御工程と、前記図案に特有の動作および／または態様と、前記株式銘柄の状況とを関連付ける図案設定工程と、を含み、前記表示制御工程は、前記銘柄情報取得工程において取得した情報と、前記図案設定工程による設定とに基づいて前記図案の動作および／または態様を変化させることを特徴とする。
【００４７】
この請求項１９の発明によれば株式情報提供方法は、株式銘柄に関する情報を取得するとともにディスプレイ上に所定の図案を表示し、株式銘柄の状況と図案に特有の動作や態様とを関連付けて変化させる。
【００４８】
また、請求項２０の発明に係る株式情報提供方法は、請求項１９の発明において、前記図案設定工程は、株価の変動、前日からの変動率、当日の取引開始時間からの変動率、１０分前からの変動率のうち、少なくともいずれか一つと前記図案の動作および／または態様を対応付けることを特徴とする。
【００４９】
この請求項２０の発明によれば株式情報提供方法は、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させる。
【００５０】
また、請求項２１の発明に係る株式情報提供方法は、請求項１９または２０の発明において、前記図案は動物を模した図案であり、前記図案に特有の動作および／または態様は、当該動物の感情表現に対応する動作および／または態様であることを特徴とする。
【００５１】
この請求項２１の発明によれば株式情報提供方法は、株式銘柄に関する情報を取得するとともにディスプレイ上に動物を模した図案を表示し、株式銘柄の状況に対応付けて動物の感情表現を行なう。
【００５２】
また、請求項２２の発明に係る株式情報提供方法は、請求項１９，２０または２１の発明において、前記図案設定工程は、単一の図案に単一の株式銘柄を割り当てることを特徴とする。
【００５３】
この請求項２２の発明によれば株式情報提供方法は、株式銘柄に関する情報を取得するとともにディスプレイ上に所定の図案を表示し、単一の株式銘柄の状況を単一の図案の動作や態様によって示す。
【００５４】
また、請求項２３の発明に係る株式情報提供方法は、請求項１９〜２２のいずれか一つの発明において、前記銘柄情報取得工程において取得した情報を用いて、前記図案に割り当てられた銘柄の分析を行なう分析工程をさらに含み、前記表示制御工程は、前記分析工程による分析結果を前記図案からの発言に模して出力することを特徴とする。
【００５５】
この請求項２３の発明によれば株式情報提供方法は、株式銘柄の状況を図案動作や態様によって示すとともに、取得した情報を用いて図案に割り当てられた銘柄の分析を行ない、分析結果を図案からの発言に模して出力する。
【００５６】
また、請求項２４の発明に係る株式情報提供方法は、請求項２３の発明において、前記分析工程および／または前記表示制御工程は、株式市場の取引時間外に前記分析の実行および／または分析結果の出力を行なうことを特徴とする。
【００５７】
この請求項２４の発明によれば株式情報提供方法は、株式銘柄の状況を図案動作や態様によって示すとともに、取得した情報を用いて株式市場の取引時間外に銘柄の分析を行ない、分析結果を図案からの発言に模して出力する。
【００５８】
また、請求項２５の発明に係る株式情報提供プログラムは、株式銘柄に関する情報を取得する銘柄情報取得手順と、ディスプレイ上に所定の図案を表示する表示制御手順と、前記図案に特有の動作および／または態様と、前記株式銘柄の状況とを関連付ける図案設定手順と、をコンピュータに実行させる株式情報提供プログラムであって、前記表示制御手順は、前記銘柄情報取得手順において取得した情報と、前記図案設定手順による設定とに基づいて前記図案の動作および／または態様を変化させることを特徴とする。
【００５９】
この請求項２５の発明によれば株式情報提供プログラムは、株式銘柄に関する情報を取得するとともにディスプレイ上に所定の図案を表示し、株式銘柄の状況と図案に特有の動作や態様とを関連付けて変化させる。
【００６０】
また、請求項２６の発明に係る株式情報提供プログラムは、請求項２５の発明において、前記図案設定手順は、株価の変動、前日からの変動率、当日の取引開始時間からの変動率、１０分前からの変動率のうち、少なくともいずれか一つと前記図案の動作および／または態様を対応付けることを特徴とする。
【００６１】
この請求項２６の発明によれば株式情報提供プログラムは、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させる。
【００６２】
また、請求項２７の発明に係る株式情報提供プログラムは、請求項２５または２６の発明において、前記図案は動物を模した図案であり、前記図案に特有の動作および／または態様は、当該動物の感情表現に対応する動作および／または態様であることを特徴とする。
【００６３】
この請求項２７の発明によれば株式情報提供プログラムは、株式銘柄に関する情報を取得するとともにディスプレイ上に動物を模した図案を表示し、株式銘柄の状況に対応付けて動物の感情表現を行なう。
【００６４】
また、請求項２８の発明に係る株式情報提供プログラムは、請求項２５，２６または２７の発明において、前記図案設定手順は、単一の図案に単一の株式銘柄を割り当てることを特徴とする。
【００６５】
この請求項２８の発明によれば株式情報提供プログラムは、株式銘柄に関する情報を取得するとともにディスプレイ上に所定の図案を表示し、単一の株式銘柄の状況を単一の図案の動作や態様によって示す。
【００６６】
また、請求項２９の発明に係る株式情報提供プログラムは、請求項２５〜２８のいずれか一つの発明において、前記銘柄情報取得手順において取得した情報を用いて、前記図案に割り当てられた銘柄の分析を行なう分析手順をさらに含み、前記表示制御手順は、前記分析手順による分析結果を前記図案からの発言に模して出力することを特徴とする。
【００６７】
この請求項２９の発明によれば株式情報提供プログラムは、株式銘柄の状況を図案動作や態様によって示すとともに、取得した情報を用いて図案に割り当てられた銘柄の分析を行ない、分析結果を図案からの発言に模して出力する。
【００６８】
また、請求項３０の発明に係る株式情報提供プログラムは、請求項２９の発明において、前記分析手順および／または前記表示制御手順は、株式市場の取引時間外に前記分析の実行および／または分析結果の出力を行なうことを特徴とする。
【００６９】
この請求項３０の発明によれば株式情報提供プログラムは、株式銘柄の状況を図案動作や態様によって示すとともに、取得した情報を用いて株式市場の取引時間外に銘柄の分析を行ない、分析結果を図案からの発言に模して出力する。
【発明の効果】
【００７０】
請求項１の発明によれば株式情報提供装置は、株式銘柄に関する情報を取得するとともにディスプレイ上に所定の図案を表示し、株式銘柄の状況と図案に特有の動作や態様とを関連付けて変化させるので、ディスプレイを占有することなく株式銘柄に関する情報を簡明に提示する株式情報提供装置を得ることができるという効果を奏する。
【００７１】
また、請求項２の発明によれば株式情報提供装置は、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させるので、ディスプレイを占有することなく株価の変動を簡明に提示する株式情報提供装置を得ることができるという効果を奏する。
【００７２】
また、請求項３の発明によれば株式情報提供装置は、株式銘柄に関する情報を取得するとともにディスプレイ上に動物を模した図案を表示し、株式銘柄の状況に対応付けて動物の感情表現を行なうので、ディスプレイを占有することなく株式銘柄に関する情報を簡明かつ直感的に提示する株式情報提供装置を得ることができるという効果を奏する。
【００７３】
また、請求項４の発明によれば株式情報提供装置は、株式銘柄に関する情報を取得するとともにディスプレイ上にユーザから指定された種類、色、服装の動物を模した図案を表示し、株式銘柄の状況に対応付けて動物の感情表現を行なうので、ユーザの指定に応じた表示で、株式銘柄に関する情報を簡明に提示する株式情報提供装置を得ることができるという効果を奏する。
【００７４】
また、請求項５の発明によれば株式情報提供装置は、株式銘柄に関する情報を取得するとともにディスプレイ上に所定の図案を表示し、図案からの発言を模して文字や音声で情報提供するので、ディスプレイを占有することなく株式銘柄に関する情報を簡明かつ詳細に提示する株式情報提供装置を得ることができるという効果を奏する。
【００７５】
また、請求項６の発明によれば株式情報提供装置は、株式銘柄に関する情報を取得するとともにディスプレイ上に所定の図案を表示し、単一の株式銘柄の状況を単一の図案の動作や態様によって示すので、株式銘柄単位の情報を簡明に提示する株式情報提供装置を得ることができるという効果を奏する。
【００７６】
また、請求項７の発明によれば株式情報提供装置は、株式銘柄に関する情報を取得するとともに、単一の株式銘柄の状況を示す図案を複数表示することで複数の銘柄の状況を通知するので、複数の株式銘柄に関する情報を簡明に提示する株式情報提供装置を得ることができるという効果を奏する。
【００７７】
また、請求項８の発明によれば株式情報提供装置は、株式銘柄に関する情報を取得するとともにディスプレイ上に所定の図案を表示し、複数の株式銘柄によってなるポートフォリオの状況を単一の図案の動作や態様によって示すので、ディスプレイを占有することなく複数の株式銘柄に関する情報を簡明に提示する株式情報提供装置を得ることができるという効果を奏する。
【００７８】
また、請求項９の発明によれば株式情報提供装置は、株式銘柄に関する情報を取得するとともにディスプレイ上に所定の図案を表示し、単一の銘柄の状況を示す図案とポートフォリオの状況を示す図案との間に関連性を持たせるので、各銘柄とポートフォリオの状況を簡明に提示する株式情報提供装置を得ることができるという効果を奏する。
【００７９】
また、請求項１０の発明によれば株式情報提供装置は、株式銘柄の状況を図案動作や態様によって示すとともに、図案に割り当てる銘柄の指定、売却、他銘柄への変更に関するユーザ指示を受け付けるので、株式銘柄に関する情報を簡明な提示と、銘柄の指定、売却、変更を実施可能な株式情報提供装置を得ることができるという効果を奏する。
【００８０】
また、請求項１１の発明によれば株式情報提供装置は、株式銘柄の状況を図案動作や態様によって示すとともに、図案の仮想的な性格を示す性格情報をさらに用いて前記動作および／または態様を決定するので、株式銘柄に関する情報を簡明かつ仮想的な性格に基づいて提示する株式情報提供装置を得ることができるという効果を奏する。
【００８１】
また、請求項１２の発明によれば株式情報提供装置は、株式銘柄の状況を図案動作や態様によって示すとともに、取得した情報を用いて仮想的な売買を行なうので、株式銘柄に関する情報を簡明に提示するとともに、仮想的な売買を実行可能な株式情報提供装置を得ることができるという効果を奏する。
【００８２】
また、請求項１３の発明によれば株式情報提供装置は、株式銘柄の状況を図案動作や態様によって示すとともに、図案からの発言を模して現実の取引および／または前記仮想取引のユーザに対する依頼を出力するので、株式銘柄に関する情報を簡明に提示と、取引への提言を行なう株式情報提供装置を得ることができるという効果を奏する。
【００８３】
また、請求項１４の発明によれば株式情報提供装置は、株式銘柄の状況を図案動作や態様によって示すとともに、現実の取引および／または仮想取引の自動実行を行なうので、株式銘柄に関する情報を簡明に提示するとともに、取引を自動実行する株式情報提供装置を得ることができるという効果を奏する。
【００８４】
また、請求項１５の発明によれば株式情報提供装置は、株式銘柄の状況を図案動作や態様によって示すとともに、現実の取引および／または仮想取引の自動実行を行ない、その実績に応じて図案の態様を変化させるので、取引を自動実行すると共に、その実績を視覚的に表現可能な株式情報提供装置を得ることができるという効果を奏する。
【００８５】
また、請求項１６の発明によれば株式情報提供装置は、株式銘柄の状況を図案動作や態様によって示すとともに、取得した情報を用いて図案に割り当てられた銘柄の分析を行ない、分析結果を図案からの発言に模して出力するので、株式銘柄に関する分析結果を簡明に提示する株式情報提供装置を得ることができるという効果を奏する。
【００８６】
また、請求項１７の発明によれば株式情報提供装置は、株式銘柄の状況を図案動作や態様によって示すとともに、取得した情報を用いてテクニカル分析、業績分析、割安度分析、成長性分析、財務健全性分析などを行ない、分析結果を図案からの発言に模して出力するので、株式銘柄に関する各種分析結果を簡明に提示する株式情報提供装置を得ることができるという効果を奏する。
【００８７】
また、請求項１８の発明によれば株式情報提供装置は、株式銘柄の状況を図案動作や態様によって示すとともに、取得した情報を用いて株式市場の取引時間外に銘柄の分析を行ない、分析結果を図案からの発言に模して出力するので、取引時間外に株式銘柄に関する分析結果を簡明に提示する株式情報提供装置を得ることができるという効果を奏する。
【００８８】
また、請求項１９の発明によれば株式情報提供方法は、株式銘柄に関する情報を取得するとともにディスプレイ上に所定の図案を表示し、株式銘柄の状況と図案に特有の動作や態様とを関連付けて変化させるので、ディスプレイを占有することなく株式銘柄に関する情報を簡明に提示する株式情報提供方法を得ることができるという効果を奏する。
【００８９】
また、請求項２０の発明によれば株式情報提供方法は、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させるので、ディスプレイを占有することなく株価の変動を簡明に提示する株式情報提供方法を得ることができるという効果を奏する。
【００９０】
また、請求項２１の発明によれば株式情報提供方法は、株式銘柄に関する情報を取得するとともにディスプレイ上に動物を模した図案を表示し、株式銘柄の状況に対応付けて動物の感情表現を行なうので、ディスプレイを占有することなく株式銘柄に関する情報を簡明かつ直感的に提示する株式情報提供方法を得ることができるという効果を奏する。
【００９１】
また、請求項２２の発明によれば株式情報提供方法は、株式銘柄に関する情報を取得するとともにディスプレイ上に所定の図案を表示し、単一の株式銘柄の状況を単一の図案の動作や態様によって示すので、株式銘柄単位の情報を簡明に提示する株式情報提供方法を得ることができるという効果を奏する。
【００９２】
また、請求項２３の発明によれば株式情報提供方法は、株式銘柄の状況を図案動作や態様によって示すとともに、取得した情報を用いて図案に割り当てられた銘柄の分析を行ない、分析結果を図案からの発言に模して出力するので、株式銘柄に関する分析結果を簡明に提示する株式情報提供方法を得ることができるという効果を奏する。
【００９３】
また、請求項２４の発明によれば株式情報提供方法は、株式銘柄の状況を図案動作や態様によって示すとともに、取得した情報を用いて株式市場の取引時間外に銘柄の分析を行ない、分析結果を図案からの発言に模して出力するので、取引時間外に株式銘柄に関する分析結果を簡明に提示する株式情報提供方法を得ることができるという効果を奏する。
【００９４】
また、請求項２５の発明によれば株式情報提供プログラムは、株式銘柄に関する情報を取得するとともにディスプレイ上に所定の図案を表示し、株式銘柄の状況と図案に特有の動作や態様とを関連付けて変化させるので、ディスプレイを占有することなく株式銘柄に関する情報を簡明に提示する株式情報提供プログラムを得ることができるという効果を奏する。
【００９５】
また、請求項２６の発明によれば株式情報提供プログラムは、株式銘柄に関する情報を取得するとともにディスプレイ上に所定の図案を表示し、株価の変動、前日からの変動率、当日の取引開始時間からの変動率、１０分前からの変動率などに基づいて図案に特有の動作や態様を変化させるので、ディスプレイを占有することなく株価の変動を簡明に提示する株式情報提供プログラムを得ることができるという効果を奏する。
【００９６】
また、請求項２７の発明によれば株式情報提供プログラムは、株式銘柄に関する情報を取得するとともにディスプレイ上に動物を模した図案を表示し、株式銘柄の状況に対応付けて動物の感情表現を行なうので、ディスプレイを占有することなく株式銘柄に関する情報を簡明かつ直感的に提示する株式情報提供プログラムを得ることができるという効果を奏する。
【００９７】
また、請求項２８の発明によれば株式情報提供プログラムは、株式銘柄に関する情報を取得するとともにディスプレイ上に所定の図案を表示し、単一の株式銘柄の状況を単一の図案の動作や態様によって示すので、株式銘柄単位の情報を簡明に提示する株式情報提供プログラムを得ることができるという効果を奏する。
【００９８】
また、請求項２９の発明によれば株式情報提供プログラムは、株式銘柄の状況を図案動作や態様によって示すとともに、取得した情報を用いて図案に割り当てられた銘柄の分析を行ない、分析結果を図案からの発言に模して出力するので、株式銘柄に関する分析結果を簡明に提示する株式情報提供プログラムを得ることができるという効果を奏する。
【００９９】
また、請求項３０の発明によれば株式情報提供プログラムは、株式銘柄の状況を図案動作や態様によって示すとともに、取得した情報を用いて株式市場の取引時間外に銘柄の分析を行ない、分析結果を図案からの発言に模して出力するので、取引時間外に株式銘柄に関する分析結果を簡明に提示する株式情報提供プログラムを得ることができるという効果を奏する。
【発明を実施するための最良の形態】
【０１００】
以下に添付図面を参照して、この発明に係る株式情報提供装置の好適な実施例について詳細に説明する。
【実施例】
【０１０１】
図１は、本発明の実施の形態である株式情報提供装置１の概要構成を示す概要構成図である。同図に示すように、株式情報提供装置１は、その内部に銘柄情報取得部２０、キャラクターデータ１０、分析処理部３０、表示画面作成部４０および仮想取引処理部５０を有する。
【０１０２】
この株式情報提供装置１は、銘柄情報取得部２０によって外部のサーバから所定の銘柄に関する情報を取得する。そして、取得した情報を例えば犬や猫などの図案を用いてディスプレイ上に表示する。
【０１０３】
ディスプレイ上におけるキャラクター画像表示の具体例を図２に示す。同図では、犬のキャラクター画像Ｃ１がディスプレイ６０に表示されている。このキャラクター画像Ｃ１には、特定の銘柄が割り当てられており、その銘柄の株価の動きに対応して一喜一憂するように画像を変化させる。
【０１０４】
図３は、銘柄の値動きに対応して使用されるキャラクター画像の一例である。同図に示すキャラクター画像Ｃ１０は、通常時、例えば株価の変化がない場合に使用する画像である。また、キャラクター画像Ｃ１１は、驚いた様子を模したものであり、株価に変化が発生した場合などに使用する。
【０１０５】
そして、キャラクター画像Ｃ１２は、少し喜んでいる様子を模したものであり、株価が緩やかに上昇中である場合などに使用する。同様に、キャラクター画像Ｃ１３は、非常に喜んでいる様子を模した画像であり、株価が大きく上昇中である場合などに使用する。
【０１０６】
さらに、キャラクター画像Ｃ１４は、少し悲しんでいる様子を模した画像であり、株価が緩やかに下降中である場合などに使用する。同様に、キャラクター画像Ｃ１５は、非常に悲しんでいる様子を模した画像であり、株価が大きく下降中である場合などに使用する。
【０１０７】
このように、動物などのキャラクターに所定の株式銘柄を割り当て（保持させ）、その株価をキャラクターの感情表現や動作に模して表示することで、ディスプレイ６０の表示面積を占有することなく、株式情報を簡明かつ直観的に利用者に伝えることができる。そのため、利用者は、他の作業を阻害されることなく、常に株式情報を把握することが可能となる。
【０１０８】
キャラクター画像の具体的な内容は、図１に示したキャラクターデータ１０に従って決定する。キャラクターデータ１０は、種類１１、外見１２、性格１３、動作設定１４、保持銘柄１５などの情報を有する。
【０１０９】
種類１１は、犬、猫などの予め用意した複数の種類から、ユーザが指定した種類を示す情報である。さらに、色や服装などについてユーザがカスタマイズした場合には、外見１２として記憶する。
【０１１０】
さらに、性格１３は、キャラクターの仮想的な性格を示す情報である。そして「強気な性格」、「弱気な性格」、「気まぐれな性格」など性格の違いによって、振る舞いや銘柄の好みが変化する。
【０１１１】
動作設定１４は、株式銘柄の状況とキャラクターの動作や態様とを対応付ける情報であり、例えば、株価がどの程度上昇した場合にキャラクター画像Ｃ１２やキャラクター画像Ｃ１３を表示するか、などを示す。
【０１１２】
そして、保持銘柄１５は、キャラクターが保持する銘柄、すなわちキャラクターに割り当てた銘柄を特定する情報である。この保持銘柄１５は、利用者が指定する。また、保持する銘柄を売却し、他の銘柄に入れ替えることもできる。なお、売買の履歴は保存しておくことが望ましい。
【０１１３】
表示制御部４０は、キャラクターデータ１０に示された各種情報と、銘柄情報取得部２０が取得した株式銘柄に関する情報を取得する銘柄情報とを用い、その時点での銘柄の状況に対応した画像を作成し、ディスプレイ上に表示する。したがって、株式市場の取引時間中には、ディスプレイ上のキャラクター画像は、保持する銘柄の株価の値動きに応じて動作や表情を変えることとなる。
【０１１４】
例えば、株式市場の取引時間になると動きが活発になり、前日からの株価の変動率、当日の開始時からの変動率、１０分前からの変動率などによって表情（表示態様）が変化する。
【０１１５】
一例として、前日の終値からの変化率が大きくプラスであれば、図３に示したキャラクター画像Ｃ１３を表示し、「前の日からは大きく前進だ。」などのセリフを表示する。また、前日の終値からの変化率が少しプラスであれば、図３に示したキャラクター画像Ｃ１２を表示し、「前の日からは少し前進だ。」などのセリフを表示する。そして、前日の終値からの変化率が少しマイナスであれば、図３に示したキャラクター画像Ｃ１４を表示し、「前の日からは少し後退だ。」などのセリフを表示する。さらに前日の終値からの変化率が大きくマイナスであれば、図３に示したキャラクター画像Ｃ１５を表示し、「前の日からは大きく後退だ。」などのセリフを表示する。
【０１１６】
同様に、当日の初値からの変化率に併せてキャラクター画像を選択し、「今日は朝から調子がいいぞ。」などのセリフを表示する。また、直近の１０分間の短期的な変化率によっても表示態様を変化させ、「なんか良い感じになってきたぞ。」などのセリフを表示する。
【０１１７】
前日からの株価の変動率、当日の開始時からの変動率、１０分前からの変動率のいずれに基づいた表示を行なうかは、いずれかを選択して固定的に表示しても良いし、定期的（１分ごとなど）にローテーションで切り替えても良い。
【０１１８】
さらに、キャラクター近傍でのダブルクリックなど所定の操作に基づいて、チャートなど詳細な情報を表示するようにしてもよい。また、エサをやる、話しかけるなど仮想的な飼育を可能としても良いし、キャラクターから株取引のノウハウを提示するようにしてもよい。
【０１１９】
さらに、株式市場の取引時間外には、株式情報提供装置１は分析処理部３０によって銘柄の分析を行ない、分析結果を通知する。この時、表示制御部４０は、例えばキャラクターを眠らせることで取引時間の終了を示し、キャラクターの寝言を模して分析結果を通知する。
【０１２０】
分析処理部３０は、具体的には、その内部にテクニカル分析部３１、業績分析部３２、割安度分析部３３、成長性分析部３４、財務健全性分析部３５を有する。テクニカル分析部３１は、「株価と株価の移動平均線の関係」、「株価のローソク足の形状」、「売買高の変化」、「信用の買い残／売り残のバランス」、「株価の日柄と値幅の分析結果」などの要因を基に、現状の株価の状況を評価する。
【０１２１】
そして、表示制御部４０は、テクニカル分析部３１による分析結果が良好である場合には「テクニカル的には良い感じだ。」、分析結果が悪い場合には「テクニカル的には嫌な感じだ。」のようにキャラクターに発言させる。
【０１２２】
業績分析部３２は、業績予想の修正内容を分析し、表示制御部４０は、直近で業績予想が上方修正されている場合には「業績を上方修正して良い感じだ。」、直近で業績予想が下方修正されている場合には「業績を下方修正してちょっと心配だ。」のようにキャラクターに発言させる。
【０１２３】
割安度分析部３３は、「ＰＥＲ（株価収益率）」、「ＰＢＲ（株価純資産倍率）」、「株価の７５日移動平均線からの乖離率」などの要因を基に評価し、表示制御部４０は、割安度分析の結果が良好である場合には「まだまだ割安な感じだ。」、分析結果が悪い場合には「ちょっと割高になっているかも。」のようにキャラクターに発言させる。
【０１２４】
成長性分析部３４は、「売上高成長率」、「経常利益変化率」、「ＲＯＥ（自己資本利益率）などの要因を基に評価し、表示制御部４０は、成長性分析の結果が良好である場合には「成長性は高そうだ。」、分析結果が悪い場合には「成長性はちょっと低いかも。」のようにキャラクターに発言させる。
【０１２５】
財務健全性分析部３５は、「自己費本比率」、「自己資本比率の同業種内相対位置」などの要因を基に評価し、表示制御部４０は、財務健全性が高い場合には「財務はすごく健全だ。」、財務健全性が低い場合には「ちょっと負債が多いのが気になるかも。」のようにキャラクターに発言させる。
【０１２６】
なお、表示制御部４０がどの分析の結果を表示するかは、利用者が指定した分析の結果のみを表示することとてもよいし、各分析の結果を定期的（１分毎など）にローテーションで切り換えても良い。また、分析結果が悪いものを選択的に表示するなど、任意に設定することができる。
【０１２７】
仮想取引処理部５０は、キャラクターによる株式銘柄の仮想的な売買取引を実現する処理部である。具体的には、仮想の購入時点における株価と、現在（もしくは仮想的な販売時点）の株価を比較することで、実際に銘柄の売買をおこなった場合の結果をシミュレートする。
【０１２８】
このように取引のシミュレートを行ない、その結果を記憶してゆくことで株式取引の学習を行なうことができる。
【０１２９】
また、キャラクターに仮想取引を自動実行させ、その実績に応じて外見を変化させてもよい。例えば、自動売買によって利益がでると、太ったり、宝石を身に着けるなどの変化を与える。同様に、自動実行の実績によってキャラクターの評価を行ない、評価結果に従って「株６級」、「株初段」、「株名人」、「株神」などの称号を与えても良い。
【０１３０】
さらに、キャラクターの中で称号が高かったり、ユニークなものについては、通信を介してキャラクターデータ１０を外部に出力し、他の装置から出力されたキャラクターと比較するコンテストや、他の利用者への紹介を行なうことができる。また、キャラクターの実績のみに限らず、ランダムにキャラクターの紹介の依頼を行ってもよい。
【０１３１】
また、仮想取引に限らず、現実の取引についてもキャラクターが自動実行を行なう構成としてもよいし、キャラクターが保有する銘柄を売りたい、新しい銘柄を買いたいなどの意見を利用者に対して提示するようにしてもよい。そして、これらのキャラクターによる取引や提案については、キャラクターデータ１０の性格１３を反映させることが望ましい。
【０１３２】
ところで、キャラクターが保有する銘柄を一種類のみとすると、その株価の変動が直観的に把握できる。そして、複数の銘柄に関する情報を表示する場合には、互いに識別可能な複数のキャラクターを表示し、各キャラクターが保持する銘柄の状況をそれぞれ表示すればよい。
【０１３３】
また、単一のキャラクターを複数の株式銘柄の組み合わせ、所謂ポートフォリオに対応させても良い。この場合、ポートフォリオに対応するキャラクターは、ポートフォリオ全体の損益を示すこととなる。
【０１３４】
さらに、単一の銘柄を保有する複数のキャラクターと、それらのキャラクターが保有する銘柄によってなるボートフォリオに対応するキャラクターとを同時に表示する場合には、その表示内容に関連性を持たせてもよい。
【０１３５】
例えば図４では、キャラクター画像Ｃ２１〜Ｃ２５はそれぞれ単一の銘柄に対応し、それらの銘柄によってなるポートフォリオの状態をキャラクター画像Ｃ２０が示している。そして、キャラクター画像Ｃ２０は、キャラクター画像Ｃ２１〜Ｃ２５の「親」として設定され、大きさが「子」である画像よりも大きくなっている。
【０１３６】
このようにキャラクター間に関連性を持たせることで、各銘柄の状況とポートフォリオの状況とを簡明に表示することができる。
【０１３７】
上述してきたように、本実施にかかる株式情報提供装置１は、銘柄情報取得部２０によって外部のサーバから所定の銘柄に関する情報を取得し、取得した情報を例えば犬や猫などの図案を用いてディスプレイ上に表示するので、ディスプレイを占有することなく株式銘柄に関する情報を簡明に提示することができる。
【０１３８】
なお、本実施例においては専用の株式情報提供装置として説明を行ったが、本発明の利用に当たっては、汎用のコンピュータシステム上で動作する株式情報提供プログラムとして実施しても良い。
【０１３９】
また、例えばＷＥＢページ上で本発明を実施し、利用者がブラウザを用いて閲覧する構成としても良いし、携帯電話など携帯端末上で動作するアプリケーションとして実施しても良い。
【０１４０】
また、本実施例では動物を模したキャラクターを採用し、仮想的なペットが株式情報を提供する構成を例に説明を行ったが、本発明の利用はこれに限定されるものではなく、任意に変更して実施することができる。
【０１４１】
例えば、動物以外では植物や自動車などが好適なキャラクターである。そして植物を採用する場合には株価の上下を葉が茂る状態と散る状態に対応させ、自動車を採用する場合には株価の上下を前進・後進や上り坂・下り坂に対応させるなど、表示するキャラクターに関連する表示を利用することで、簡明な情報伝達が可能となる。
【０１４２】
また、植物や無生物であっても擬人化することで表情や発言などによる各種情報提供を違和感無く実施することが可能である。
【産業上の利用可能性】
【０１４３】
以上のように、本発明にかかる株式情報提供装置、株式情報提供方法および株式情報提供プログラムは、株式銘柄に関する情報提供に有用であり、特に、個人投資家への簡明な情報提供に適している。
【図面の簡単な説明】
【０１４４】
【図１】本発明の実施例にかかる株式情報提供装置の概要構成を示す概要構成図である。
【図２】ディスプレイ上におけるキャラクター画像表示の具体例を示す図である。
【図３】銘柄の値動きに対応して使用されるキャラクター画像の一例を示す図である。
【図４】複数のキャラクターの表示例について説明する説明図である。
【符号の説明】
【０１４５】
１    株式情報提供装置
１０    キャラクターデータ
１１    種類
１２    外見
１３    性格
１４    動作設定
１５    保持銘柄
２０    銘柄情報取得部
３０    分析処理部
３１    テクニカル分析部
３２    業績分析部
３３    割安度分析部
３４    成長性分析部
３５    財務健全性分析部
４０    表示制御部
５０    仮想取引処理部
６０    ディスプレイ
【図１】
2006301955.tif 000003
【図２】
2006301955.tif 000004
【図３】
2006301955.tif 000005
【図４】
2006301955.tif 000006